(57)【要約】      （修正有）【課題】ゲーム機台のパネルを起こさせる枢着装置を提供する。【解決手段】枢着装置は、機台本体１とパネル２の間に設置させ、該パネル２を機台本体１上に起こさせ、該枢着装置は、回転軸３と、少なくとも１つの伸縮式の接続ロッド４と、を含み、そのうち、該回転軸３の一端は、機台本体１内部に活動的に枢着し、他端は、該パネル２近傍の上部の位置と活動的に枢着し、更に、該回転軸３は、収容空間３１を設け、該伸縮可能式の接続ロッド４一端は、機台本体１内部に活動的に枢着し、他端は、該パネル２の機台本体１内部へ向いた位置に活動的に枢着し、該パネル２を起こす時、該接続ロッド４は、上向きに延伸し、該パネル２が完全に起きるまで支持することができ、且つ該パネル２が起きた時、そのパネル２上部は、上記回転軸３の収容空間３１に移動でき、該パネル２部分の体積を該機台本体１内部中に収蔵させる。【選択図】図５
0003202323.tif 000002
【実用新案登録請求の範囲】
【請求項１】
機台本体とパネルの間に設置させ、該パネルを機台本体上に起こさせるゲーム機台のパネルを起こさせる枢着装置であって、
回転軸であって、その一端は、機台本体内部に活動的に枢着し、他端は、該パネル近傍の上部の位置と活動的に枢着し、更に、該回転軸は、収容空間を設ける回転軸と、
少なくとも１つの伸縮可能式の接続ロッドであって、その一端は、機台本体内部に活動的に枢着し、他端は、該パネルの機台本体内部へ向いた位置に活動的に枢着し、該パネルを起こす時、該接続ロッドは、上向きに延伸し、該パネルが完全に起きるまで支持することができ、且つ該パネルが起きた時、そのパネル上部は、上記回転軸の収容空間に移動でき、該パネル部分の体積を該機台本体内部中に収蔵させる少なくとも１つの伸縮可能式の接続ロッドと、
を含む、ゲーム機台のパネルを起こさせる枢着装置。
【請求項２】
前記回転軸は、Ｃ形回転軸であり、その湾曲面は、前記収容空間を形成する請求項１に記載のゲーム機台のパネルを起こさせる枢着装置。
【請求項３】
前記回転軸及び接続ロッドの間は、少なくとも１つの支持ロッドを設け、該支持ロッドの一端は、機台本体内部に活動的に枢着し、他端は、パネル上に活動的に枢着する請求項１に記載のゲーム機台のパネルを起こさせる枢着装置。
【考案の詳細な説明】
【技術分野】
【０００１】
本考案は、構造が簡単でメンテナンスに便利であるゲーム機台のパネルを起こさせる枢着装置に関する。
【背景技術】
【０００２】
現代社会において、職場における競争は激しく、個人が受けるストレスも益々大きくなっており、個人の心身にバランスを保持させるため、様々なレジャー活動、例えば、運動、釣り、絵画、映画等がある。多くのレジャー活動において、「ゲーム機」は、身体及び五感を直接刺激し、個人の情緒を発散させ、且つ実質的又は精神的な報酬により、人に満足感をもたせることができるので、多くの人の主な娯楽の一つとなっている。
【０００３】
現行のゲーム機の主な構造設計は、複雑な回路設計処理の後、イメージをパネルのスクリーン上に表示し、使用者とのインタラクションを提供し、従って、機台が恒例のメンテナンスを行う時、パネルを開く必要があり、そうして初めてパネルの後ろに設置したその他の装置又は回路をチェックすることができるが、パネルと機台の接合設計は、スタッフにメンテナンスさせる時、現地空間又は体格等の要素の制限を受け、作業に不利であり、特に、持ち上げ式のパネルは、持ち上げた後、施工空間を占拠し、更に作業員の手腕の幅を加えて距離が制限され、機台の比較的内部の位置にメンテナンスを行うことが困難であり、又は、作業員がメンテナンスを行う時、腰を曲げるか落として見上げて初めて機台本体の内部に入ることができ、作業員の活動に対して阻害を構成するので、このシリーズの機種は、作業員にとって非常に不便であり、工程時間を浪費する。
【先行技術文献】
【特許文献】
【０００４】
【特許文献１】特開２００５−８７２３６号公報
【考案の概要】
【考案が解決しようとする課題】
【０００５】
本考案の目的は、構造が簡単で、メンテナンスに便利なゲーム機台のパネルを起こさせる枢着装置を提供することにある。
【課題を解決するための手段】
【０００６】
上記の目的を達成する為、本考案が提供するゲーム機台のパネルを起こさせる枢着装置は、機台本体とパネルの間に設置させ、該パネルを機台本体上に起こさせ、該枢着装置は、回転軸と、少なくとも１つの伸縮式の接続ロッドと、を含み、そのうち、該回転軸の一端は、機台本体内部に活動的に枢着し、他端は、該パネル近傍の上部の位置と活動的に枢着し、更に、該回転軸は、収容空間を設け、該伸縮可能式の接続ロッド一端は、機台本体内部に活動的に枢着し、他端は、該パネルの機台本体内部へ向いた位置に活動的に枢着し、該パネルを起こす時、該接続ロッドは、上向きに延伸し、該パネルが完全に起きるまで支持することができ、且つ該パネルが起きた時、そのパネル上部は、上記回転軸の収容空間に移動でき、該パネル部分の体積を該機台本体内部中に収蔵させる。
【０００７】
実施時、該回転軸は、Ｃ形回転軸であり、その湾曲面は、前記収容空間を形成する。
【０００８】
実施時、該回転軸及び接続ロッドの間は、少なくとも１つの支持ロッドを設け、該支持ロッドの一端は、機台本体内部に活動的に枢着し、他端は、パネル上に活動的に枢着する。
【考案の効果】
【０００９】
本考案のゲーム機台のパネルを起こさせる枢着装置は、構造が簡単で、メンテナンスに便利である。
【図面の簡単な説明】
【００１０】
【図１】本考案の実施例のゲーム機台の外観説明図である。
【図２】本考案の実施例のパネルと枢着装置の結合時の説明図である。
【図３】本考案の実施例のパネルと枢着装置の結合時の側面図である。
【図４】本考案の実施例のパネルを上向きに起こした時の状態説明図である。
【図５】本考案の実施例のパネルを完全に起こした後の状態説明図である。
【図６】本考案の実施例のパネルを完全に起こした後の外観説明図である。
【考案を実施するための形態】
【００１１】
本考案を理解する為、以下に好適な実施例を挙げ、図面、符号を合わせ、本考案の具体的構成内容及びそれが達成する効果を詳細に説明する。
【００１２】
図１〜図６を参照し、図面内容は、本考案のゲーム機台のパネルを起こさせる枢着装置の実施例であり、機台本体１とパネル2の間に設置させ、該パネル２を機台本体１上に起こさせ、回転軸３及び少なくとも１つの伸縮可能式の接続ロッド４から構成される。
【００１３】
該回転軸３の一端は、機台本体１内部に活動的に枢着氏、他端は、該パネル２近傍の上部の位置と活動的に枢着し、該回転軸３は、収容空間３１を設け、実施時、該回転軸３は、Ｃ形形状の回転軸３に設けることができ、その湾曲面は、前記収容空間３１を形成し、或は、Ｌ形、Ｌ形等の前記収容空間３１を形成できる形状である。
【００１４】
該伸縮可能式の接続ロッド４の一端は、機台本体１内部に活動的に枢着し、他端は、該パネル２の機台本体１内部へ向けた位置に活動的に枢着し、該パネル２を起こす時、該接続ロッド４は、上向きに延伸し、該パネル２が完全に起きるまで支持することができ、実際の実施時、該伸縮可能式の接続ロッド４は、機械式又は気圧式等の方式で伸縮の目的を達成することができ、その機械式は、例えば、バネとバネフック等の方式を利用し、気圧式は、気圧シリンダを利用して該伸縮可能式の接続ロッドを駆動することができ、上向きにパネル２を起こす時、該接続ロッド４は、上向きにパネル２を延伸し、上向きに移動させ、パネル２を押し下げる時、該接続ロッド４を収縮させ、該パネル２が該機台本体１上に閉合できるようにする。
【００１５】
また、該回転軸３及び接続ロッド４の間は、少なくとも１つの支持ロッド５を設け、該支持ロッド５一端は、機台本体１内部に活動的に枢着し、他端は、パネル２上に活動的に枢着する。
【００１６】
メンテナンス作業員が該機台本体１内部にメンテナンスを行う時、パネル２を起こし、該パネル２が上向きに移動して起こされる時、該パネル２上部は、同期して徐々に前記回転軸３の収容空間３１中に移動し、該パネル２の部分的体積を徐々に該機台本体１内部中に収蔵でき、該パネル２が完全に起こされた後、該パネル２の部分的体積は、機台本体１内部に位置され、故にメンテナンス作業員は、軽快に内部のメンテナンスを行うことができ、過度に手腕を伸ばす必要がなく、同時にパネル２を起こした後に占拠する空間を大幅に減少させることができる。
【００１７】
これにより、本考案の設計によって、機台本体１内部の未使用の空間を利用し、パネル２を起こした後に部分の体積を本考案の枢着装置を利用して機台本体１内部に収納させることができる。
【００１８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【００１９】
上記のように、開示される内容に基づき、本考案は、実用新案の予期する目的を達成することができ、ゲーム機台パネルを起こさせる枢着装置を提供し、実用性と産業上利用の価値を備え、法に基づき実用新案出願を提出する。
【符号の説明】
【００２０】
１  機台本体
２  パネル
３  回転軸
３１  収容空間
４  接続ロッド
５  支持ロッド
【図１】
0003202323.tif 000003
【図２】
0003202323.tif 000004
【図３】
0003202323.tif 000005
【図４】
0003202323.tif 000006
【図５】
0003202323.tif 000007
【図６】
0003202323.tif 000008